(57)【要約】【課題】  入浴者の体が温まったことを適切に判別し、それに基づいて入浴者に対して出浴を促すことのできる浴室システムを提供する。【解決手段】  浴室の浴槽Ｂ内に給湯を行うための給湯装置本体１と、この給湯装置本体１によって給湯された浴槽Ｂ内にいる入浴者の心拍波形を検出する検出装置４の信号処理部４６と、この信号処理部４６によって検出された心拍波形の変化に基づいて、入浴者の体温が上昇したか否かを判別する検出側マイコン４３とを備える。【選択図】  図２
2005058299.tif 000002
【特許請求の範囲】
【請求項１】
浴室の浴槽内に給湯を行うための給湯手段と、この給湯手段によって給湯された前記浴槽内にいる入浴者の心拍波形を検出する心拍波形検出手段と、
この心拍波形検出手段によって検出された心拍波形の変化に基づいて、入浴者の体温が上昇したか否かを判別する体温判別手段と、を備えたことを特徴とする、浴室システム。
【請求項２】
前記体温判別手段によって入浴者の体温が上昇したことが判別されたとき、入浴者に対して前記浴槽からの出浴を促す旨を報知する報知制御手段を備える、請求項１に記載の浴室システム。
【請求項３】
前記体温判別手段は、心拍波形における変曲点から他の変曲点までの振幅の変化に基づいて、入浴者の体温が上昇したと判別する、請求項１または２に記載の浴室システム。
【請求項４】
入浴者が操作入力可能な操作入力手段と、
前記報知制御手段によって入浴者に対して前記浴槽からの出浴を促す旨が報知された場合、予め定める所定時間内に前記操作入力手段による操作入力がないとき、入浴者に対して入浴者の体温を下げるべき動作を実行する動作実行手段と、を備える、請求項１ないし３のいずれかに記載の浴室システム。
【請求項５】
前記動作実行手段は、入浴者に対して体温の上昇を抑制するべく送風を行うものである、請求項４に記載の浴室システム。
【請求項６】
入浴者が操作入力可能な操作入力手段と、
前記報知制御手段によって入浴者に対して前記浴槽からの出浴を促す旨が報知された場合、予め定める所定時間内に前記操作入力手段による操作入力がないとき、その旨を浴室以外の外部の場所において報知する外部報知制御手段を備える、請求項１ないし３のいずれかに記載の浴室システム。
【請求項７】
前記体温判別手段によって入浴者の体温が上昇したことが判別されたとき、前記浴室以外の外部に設けられた外部機器を動作させる外部機器制御手段を備える、請求項１ないし６のいずれかに記載の浴室システム。
【発明の詳細な説明】
【技術分野】
【０００１】
本発明は、入浴者の心拍波形を検出可能な浴室システムに関する。
【背景技術】
【０００２】
従来、浴槽などに給湯を行うものとしては、給湯装置本体と、それに接続された浴室リモコンや台所リモコンとを備えて構成された浴室システムがある。給湯装置本体は、その一例として、一般給湯用、風呂湯用および温水暖房用などの熱交換器を備える燃焼ユニットと、この燃焼ユニットを制御するマイクロコンピュータとが設けられている。一方、浴室リモコンや台所リモコンは、給湯装置本体の給湯運転を遠隔操作するためのものであり、一般給湯供給時の湯温などを設定する操作スイッチやそれらを表示する液晶表示器などを有する操作表示部が備えられている。
【０００３】
上記浴室システムにおいては、入浴者の心拍波形を検出するための検出装置が備えられ、検出装置で検出された心拍波形や心拍数が浴室リモコンなどの操作表示部に表示されるものも提案されている。また、上記心拍波形に基づいて入浴者の体調を自動的に推定するものも提案されている（たとえば、特許文献１参照）。
【特許文献１】特開２００２−１２６０３１号公報
【発明の開示】
【発明が解決しようとする課題】
【０００４】
ところで、浴槽内の湯水に浸かった入浴者は、体が十分に温まったことの判断を自ら行い、体が十分に温まったと判断した場合には通常浴槽から出浴するようにしている。しかしながら、体が十分に温まったことは、入浴者自身の体の状態（たとえば高齢による感覚の衰え）により、適切な時間に出浴することができないことがある。そのため、適当な入浴時間を見極めることができないときには、場合によってはのぼせたり体調をくずしたりすることがある。
【０００５】
ここで、本願発明者は、入浴者が出浴するタイミングをほぼ正確に見極めるための指標として、入浴中における心拍波形の変化に着目した。すなわち、入浴者が入浴すると、体が温まっていくとともに心拍数が徐々に上昇するとともに、心拍波形のうちのＲ波の振幅レベルがある時点を境に上昇していき、その上昇にともなって入浴者の体温が上昇されることが実験により求められた。そこで、本願発明者は、入浴者の体温が上昇されることが入浴者の体が温まっている状態と推定し、そのことから入浴者が入浴中にのぼせたり体調をくずしたりすることを事前に防止できるのではないかと考えた。
【０００６】
本発明は、上記した事情のもとで考え出されたものであって、入浴者の体が温まったことを適切に判別し、それに基づいて入浴者に対して出浴を促すことのできる浴室システムを提供することを、その課題とする。
【課題を解決するための手段】
【０００７】
上記の課題を解決するため、本発明では、次の技術的手段を講じている。
【０００８】
本発明によって提供される浴室システムによれば、浴室の浴槽内に給湯を行うための給湯手段と、この給湯手段によって給湯された前記浴槽内にいる入浴者の心拍波形を検出する心拍波形検出手段と、この心拍波形検出手段によって検出された心拍波形の変化に基づいて、入浴者の体温が上昇したか否かを判別する体温判別手段と、を備えたことを特徴としている。なお、前記体温判別手段によって入浴者の体温が上昇したことが判別されたとき、入浴者に対して前記浴槽からの出浴を促す旨を報知する報知制御手段をさらに備えてもよい。
【０００９】
この構成によれば、心拍波形検出手段によって浴室の浴槽内における入浴者の心拍波形が検出され、その検出された心拍波形に基づいて入浴者の体温が上昇したと判別する。入浴者が入浴中において体温が上昇するということは、体が十分に温まっているとともに入浴者の体内の状態が変化（たとえば発汗）してきており、この状態が継続されると、入浴者が入浴中にのぼせたり体調をくずしたりするおそれがある。本発明は、それを心拍波形検出手段によって検出される心拍波形によって検出することができる。また、体温が上昇したと判別すれば、入浴者に対して浴槽からの出浴を促す旨を報知する。これにより、入浴者は、この報知に応答して出浴することができ、入浴中において入浴者がのぼせたり体調をくずしたりすることを事前に防止することができる。
【００１０】
本発明の好ましい実施の形態によれば、前記体温判別手段は、心拍波形における変曲点から他の変曲点までの振幅の変化に基づいて、入浴者の体温が上昇したと判別してもよい。たとえば、図６に示すように、心拍波形のうち変曲点Ｑ，Ｒ，Ｓで表される波をＲ波とすると、このＲ波の振幅（変曲点ＱからＲまでの電位差、または変曲点ＲからＳまでの電位差）の変化に基づいて体温の上昇を判別すればよい。
【００１１】
本発明の他の好ましい実施の形態によれば、入浴者が操作入力可能な操作入力手段と、前記報知制御手段によって入浴者に対して前記浴槽からの出浴を促す旨が報知された場合、予め定める所定時間内に前記操作入力手段による操作入力がないとき、入浴者に対して入浴者の体温を下げるべき動作を実行する動作実行手段と、を備えていてもよい。たとえば動作実行手段は、入浴者に対して体温の上昇を抑制するべく送風を行うものであってもよい。
【００１２】
これにより、入浴者が入浴中において報知制御手段による報知に対して応答操作ができないほどの状態になっているとき、たとえば入浴者の体温の上昇を抑制するために送風が行われるので、入浴者の状態を悪化させることを防止することができる。
【００１３】
本発明の他の好ましい実施の形態によれば、入浴者が操作入力可能な操作入力手段と、前記報知制御手段によって入浴者に対して前記浴槽からの出浴を促す旨が報知された場合、予め定める所定時間内に前記操作入力手段による操作入力がないとき、その旨を浴室以外の外部の場所において報知する外部報知制御手段を備えていてもよい。
【００１４】
これにより、入浴者が入浴中において報知制御手段による報知に対して応答操作ができないほどの状態になっているとき、その旨を浴室以外の外部の場所において報知するので、たとえば台所にいるユーザがその報知によって入浴者の状態を把握したとき、浴室に行って入浴者の状態を確認するなどの処置をとることができる。
【００１５】
本発明の他の好ましい実施の形態によれば、前記体温判別手段によって入浴者の体温が上昇したことが判別されたとき、前記浴室以外の外部に設けられた外部機器を動作させる外部機器制御手段を備えてもよい。
【００１６】
この発明によれば、体温判別手段によって入浴者の体温が上昇したことが判別されたとき、浴室以外の外部に設けられた外部機器、たとえば居間に設けられた空調装置を動作させるので、入浴者は、浴室から出た後、居間に行けば、前もって空調装置が動作しているため、その体温を迅速に下げることができる。
【発明を実施するための最良の形態】
【００１７】
本発明のその他の特徴および利点は、添付図面を参照して以下に行う詳細な説明によって、より明らかとなろう。
【実施例】
【００１８】
図１は、本願発明の実施例にかかる浴室システムを示す概略構成図である。図２は、この浴室システムの電気的構成を示す図である。この浴室システムは、浴室の浴槽内に浸かっている入浴者の心拍波形を検出して、その心拍波形に基づいて入浴者の体温が上昇したことを判別して、入浴者に対して浴槽から出浴することを促す旨の報知を行うものである。すなわち、入浴者が入浴中に体温が上昇するということは、入浴者の体が温まり、かつ入浴者の体内に何らかの変化（たとえば発汗）を生じさせたことを表すものであるので、さらに入浴を継続すると、入浴者は、場合によってはのぼせたり体調をくずしたりすることがある。そのため、それを事前に予防するために入浴者に対して浴槽から出浴するよう報知するものである。
【００１９】
この浴室システムは、給湯装置本体１と、これを遠隔操作するための浴室リモコン２および台所リモコン３と、入浴者の心拍波形を検出するための検出装置４と、浴槽Ｂ内に入った入浴者の心拍数を検出するための複数の心拍電極６ａ，６ｂ，６ｃ（以下、総称するときは「心拍電極６」という。）とによって概略構成されている。給湯装置本体１は、２芯線７を介して浴室リモコン２、台所リモコン３、および検出装置４を接続している。
【００２０】
給湯装置本体１は、たとえば住宅の屋外に設置され、図２に示すように、一般給湯用、風呂追い焚き用、または温水暖房用の熱交換器、各種燃焼器、および各種バルブなど（いずれも図示せず）を含む燃焼ユニット１０と、給湯装置本体１の全体動作を制御する制御部１１とを備えている。
【００２１】
制御部１１は、たとえば電子部品が搭載されたプリント基板によって構成され、マイクロコンピュータ１２（以下、「本体側マイコン１２」という）、各種のデータを必要に応じて記憶するＥＥＰＲＯＭ１３、および通信部１４などを有している。本体側マイコン１２は、給湯装置本体１の制御中枢となるものであり、図示しないＲＯＭに記憶されている運転実行プログラム、あるいは浴室リモコン２、台所リモコン３、および図示しない暖房用機器などから送られる操作信号などに基づいて、各種燃焼器の燃焼状態や各種バルブの開閉を制御する。
【００２２】
通信部１４は、浴室リモコン２や台所リモコン３との通信を行うためのものであり、所定の変復調方式に基づいた変復調回路によって構成されている。給湯装置本体１から浴室リモコン２および台所リモコン３に対しては、２芯線７を介して電源供給（たとえばＤＣ１５Ｖ）がされており、上記通信部１４において変調されたデータ信号は、電源電圧に重畳され、この２芯線７を介して浴室リモコン２および台所リモコン３に伝達される。また、浴室リモコン２および台所リモコン３から上記２芯線７を介して伝達された操作信号としてのデータ信号は、上記通信部１４において復調され、本体側マイコン１２に送られる。
【００２３】
また、給湯装置本体１には、送風装置８が接続されている。送風装置８は、たとえば浴室乾燥機（図略）の一部として構成され、浴室内の空気を移動させて、入浴者に対して送風を行うものであり、本体側マイコン１２からの駆動信号によって駆動される。なお、送風装置８は、浴室乾燥機とは独立に、入浴者に対して送風を行うためだけに設けられていてもよい。さらに、給湯装置本体１には、たとえば居間に設けられた空調装置Ｅが接続線Ｃを介して接続されている。空調装置Ｅは、必要に応じて居間を温度調整や送風を行うものであり、本体側マイコン１２からの駆動信号によって駆動される。
【００２４】
浴室リモコン２は、図３に示すように、浴室内の浴槽Ｂの近傍などに設置された、防水機能が施されたケースを備えており、給湯装置本体１を遠隔操作するためのものである。浴室リモコン２は、図２に示すように、制御部２１、通信部２２、表示部２３、および操作部２４を備えている。制御部２１は、マイクロコンピュータ２５（以下、単に「浴室側マイコン２５」という）、および各種のデータを必要に応じて記憶するＥＥＰＲＯＭ２６を備えている。
【００２５】
浴室側マイコン２５は、この浴室リモコン２の制御を司るものであり、図示しないＲＯＭによって記憶されている実行プログラムや、ユーザによる操作部２４の操作内容に基づいて、各部の動作制御やデータ処理を実行し、たとえば給湯温度、風呂湯温の設定温度、およびバーナの点火状況などを必要に応じて表示部２３に表示させたり、スピーカ２４ｇ（後述）から給湯運転に関する音声を出力させたりする。
【００２６】
また、浴室側マイコン２５は、検出装置４によって計測された入浴者の心拍数の情報を受け取ると、それを表示部２３に表示させたり、スピーカ２４ｇ（後述）から心拍数に関する音声を出力させたりする機能を有する。さらに、浴室マイコン２５は、検出装置４によって浴槽Ｂからの入浴者の出浴を促す旨のコマンド信号を送られると、その旨を表示部２３に表示させたり、スピーカ２４ｇ（後述）から音声出力させたりする機能を有する。
【００２７】
通信部２２は、給湯装置本体１や台所リモコン３との通信を行うためのものであり、所定の変復調方式に基づいた変復調回路によって構成されている。給湯装置本体１または台所リモコン３から２芯線７を介して伝達されたデータ信号は、この通信部２２において復調され、浴室側マイコン２５に送られる。また、通信部２２において変調された信号は、２芯線７を介して給湯装置本体１または台所リモコン３に伝達される。
【００２８】
表示部２３は、図３に示すように、たとえば多数の蛍光体をドットマトリクス状に配置した蛍光管や液晶ディスプレイ装置などからなり、浴室側マイコン２５からの指令により風呂湯の設定温度やバーナの点火状況などを表示するものである。さらに、表示部２３は、検出装置４によって計測された入浴者の心拍数の情報を表示したり、後述するように、検出装置４によって入浴者の体温が上昇したことが判別された場合に、入浴者に出浴を促す旨をたとえば文字にして表示したりするものである。
【００２９】
操作部２４は、ユーザによって給湯運転を入力するために操作されるものであって、複数のキースイッチからなる。具体的には、運転の発停を行うためのスイッチ２４ａ、湯水の温度の設定などといった各種の設定を行うための設定スイッチ２４ｂ、優先スイッチ２４ｃ、ユーザが操作をすると自動で湯張りや保温などを行うための風呂自動スイッチ２４ｄ、追い焚き運転を行うための追い焚きスイッチ２４ｅ、および入浴者が必要に応じて台所にいる者と通話するための通話スイッチ２４ｆなどが設けられている。
【００３０】
さらに、操作部２４には、入浴者によって操作可能であって、入浴者が浴槽Ｂ内から出浴するように促す旨が報知されたとき、その報知を入浴者による操作によって停止するための報知停止スイッチ２４ｈが設けられている。ユーザによって、これらのキースイッチが操作されると、その操作信号が浴室側マイコン２５に送られる。なお、図３中、符号２４ｇはスピーカを示す。
【００３１】
一方、台所リモコン３は、図４に示すように、たとえばキッチンの流し台近傍に設置された略直方体形状のケースを備えており、浴室リモコン２と同様に、ユーザによる操作に基づいて、給湯装置本体１を遠隔操作するためのものである。台所リモコン３は、図２に示すように、制御部３１、通信部３２、表示部３３、および操作部３４を備えている。制御部３１は、マイクロコンピュータ３５（以下、単に「台所側マイコン３５」という）、および各種のデータを必要に応じて記憶するＥＥＰＲＯＭ３６を備えている。
【００３２】
台所側マイコン３５は、この台所リモコン３の制御を司るものであり、図示しないＲＯＭによって記憶されている運転実行プログラムや、ユーザによる操作部３４の操作内容に基づいて、各部の動作制御やデータ処理を実行し、たとえば一般給湯および風呂湯の設定温度、およびバーナの点火状況などを必要に応じて表示部３３に表示させたり、スピーカ３４ｅ（後述）から給湯運転に関する音声を出力させたりする。
【００３３】
また、台所側マイコン３５は、検出装置４によって計測された入浴者の心拍数の情報を受け取ると、それを表示部３３に表示させたり、スピーカ３４ｅ（後述）から心拍数に関する音声を出力させたりする機能を有する。さらに、台所側マイコン３５は、後述するように、入浴者に出浴を促す旨の報知をしたのにもかかわらず、浴室マイコン２５によって入浴者による適当な応答がないと判別された場合、その旨を表示部３３に表示させたり、スピーカ３４ｅ（後述）から音声出力させたりする機能を有する。
【００３４】
通信部３２は、給湯装置本体１や浴室リモコン２との通信を行うためのものであり、所定の変復調方式に基づいた変復調回路によって構成されている。給湯装置本体１または浴室リモコン２から２芯線７を介して伝達されたデータ信号は、この通信部３２において復調され、台所側マイコン３５に送られる。また、通信部３２において変調されたデータ信号は、２芯線７を介して給湯装置本体１または浴室リモコン２に伝達される。
【００３５】
表示部３３は、図４に示すように、たとえば多数の蛍光体をドットマトリクス状に配置した蛍光管や液晶ディスプレイ装置などからなり、台所側マイコン３５からの指令により浴室リモコン２の表示部２３と同様に、風呂湯の設定温度やバーナの点火状況などを表示するものである。また、表示部３３は、検出装置４によって計測された入浴者の心拍数の情報を表示する。そのため、たとえば高齢者や要介護者などが入浴しているときに、その入浴者の状態を入浴者の心拍数などを通じて台所において監視することができる。
【００３６】
さらに、表示部３３は、後述するように、入浴者に出浴を促す旨の報知をしたのにもかかわらず、浴室マイコン２５によって入浴者による適当な応答がないと判別された場合、その旨を表示するものである。
【００３７】
操作部３４は、ユーザによって給湯運転や暖房運転などを行うために操作されるものであって、複数のキースイッチからなる。具体的には、運転の発停を行うためのスイッチ３４ａ、湯水の温度の設定などといった各種の設定を行うための設定スイッチ３４ｂ、ユーザの操作により自動で湯張りや保温などを行うための風呂自動スイッチ３４ｃ、および台所にいる者が必要に応じて入浴者と通話するための通話スイッチ３４ｄなどが設けられている。ユーザによって、これらのキースイッチが操作されると、その操作信号が台所側マイコン３５に送られる。なお、図４中、符号３４ｅはスピーカを示す。
【００３８】
図１および図２に戻り、検出装置４は、入浴者の浴槽入浴中における心拍波形を検出するためのものであり、浴室内の浴槽Ｂに設けられている。検出装置４は、制御部４１および通信部４２を備えている。制御部４１は、マイクロコンピュータ４３（以下、単に「検出側マイコン４３」という）、各種のデータを必要に応じて記憶するＥＥＰＲＯＭ４４、Ｉ／Ｏ部４５、および信号処理部４６を備えている。信号処理部４６には複数の心拍電極６が接続されている。
【００３９】
検出側マイコン４３は、この検出装置４の制御を司るものであり、図示しないＲＯＭによって記憶されている実行プログラムや心拍電極６からの出力に基づいてデータ処理を実行する。たとえば、検出側マイコン４３は、心拍電極６によって検出された心拍信号から信号処理部４６において求められる心拍信号のうちのＲ波の振幅変化に基づいて、入浴者の体温が上昇したか否かを判別する。また、心拍電極６によって検出された心拍信号に基づいて、入浴者の心拍数を演算によって求める。
【００４０】
通信部４２は、給湯装置本体１との通信を行うためのものであり、所定の変復調方式に基づいた変復調回路によって構成されている。給湯装置本体１から２芯線７を介して伝達されたデータ信号は、この通信部４２において復調され、検出側マイコン４３に送られる。また、通信部４２において変調された信号は、２芯線７を介して給湯装置本体１、浴室リモコン２、または台所リモコン３に伝達される。
【００４１】
また、検出装置４は、給湯装置本体１からこの２芯線７を介して電源供給（たとえばＤＣ１５Ｖ）がされており、上記したデータ信号は、電源電圧に重畳されて送られる。
【００４２】
信号処理部４６は、心拍電極６によって検出された心拍信号としてのアナログ信号を増幅して心拍波形を生成し、生成された心拍波形を検出側マイコン４３に与えるものである。より具体的には、信号処理部４６は、図５に示すように、心拍電極６によって検出された心拍信号に含まれる高周波のインパルスノイズを除去するための第１フィルタ回路４６ａと、この第１フィルタ回路４６ａによって得られた心拍信号を増幅するための差動増幅回路４６ｂと、差動増幅回路４６ｂによって増幅された心拍信号に含まれる電源周波数より高い周波数のノイズを除去するための第２フィルタ回路４６ｃと、この第２フィルタ回路４６ｃによって得られた心拍信号をさらに増幅するための増幅回路４６ｄと、心拍波形のうちのＲ波を検出するためのＲ波検出回路４６ｅと、Ｒ波検出回路４６ｅによって求められたＲ波の振幅ピーク値を検出するためのピーク値検出回路４６ｆとを有している。なお、ピーク値の検出は、検出側マイコン４３によってなされてもよい。
【００４３】
心拍波形は、一般に、図６に示すように、Ｐ波、Ｒ波（厳密には変曲点Ｑ，Ｒ，Ｓで表される波をいう）、およびＴ波といった複数の波で構成され、それらが所定の周期で繰り返される波形を有しており、たとえばＲ波同士の間隔に基づいて心拍数が計測される。また、これらの波のうち、Ｒ波の振幅（図６のＡ参照）が他の波に比べ相対的に大きいため、本実施例では、そのＲ波を検出することとし、さらに時間経過とともに変化するＲ波の変化度合いを求め、その変化度合いに基づいて、入浴者の体温が上昇したか否かを検出するようにしている。なお、Ｒ波の振幅としては、図６に示す変曲点ＱからＲまでの振幅や変曲点ＳからＲまでの振幅が採用されてもよい。
【００４４】
図７は、ある入浴者における入浴時間と心拍数およびＲ波の振幅電圧との関係を示す図である。なお、図７に示すＲ波の振幅の電圧値は、絶対的な値ではない。この図によると、入浴時間が長くなるに連れて心拍数が徐々に増加していくことがわかる。また、入浴時間が１８０秒になると、それまで一定の電圧レベルであった、一定周期で現れるＲ波の振幅電圧が急激に増加していることがわかる。
【００４５】
図７によると、たとえば約１ＶであったＲ波の振幅電圧は、１８０秒経過後、増加し、その後、約１．５〜２Ｖで変化している。実験によると、Ｒ波の振幅電圧が増加する約２００秒前後で被測定者の体温が上昇したことが求められており、このことから、この実施例では、たとえばＲ波の振幅電圧が略一定であった約１Ｖを１００％とした場合、約１３０％以上の振幅電圧が複数回連続して続いたとき、入浴者の体温が上昇したと判別する。
【００４６】
心拍電極６は、図１に示したように、浴槽Ｂ内に設けられている。詳細には、心拍電極６ａ，６ｂは、浴槽Ｂ内に溜められた湯水に浸っている入浴者の両側、すなわち浴槽Ｂの左右両側壁に設けられている。また、心拍電極６ｃは、浴槽Ｂの一端側側壁に設けられている。心拍電極６ａ，６ｂ，６ｃは、浴槽Ｂにおいてほぼ同様の高さ位置に配置されている。この心拍電極６によって検出された心拍信号は、検出装置４の信号処理部４６に送られる。
【００４７】
次に、上記の構成における動作について、図８に示すフローチャートを参照して説明する。
【００４８】
まず、入浴者が入浴するために浴槽Ｂ内に湯水が貯められると、検出装置４の検出側マイコン４３は、心拍電極６からの心拍信号があるか否かを判別する（Ｓ１）。すなわち、入浴者が浴室内に入りかつ浴槽Ｂ内の湯水に浸かると、心拍電極６が入浴者の心拍を検出し、それが検出装置４の信号処理部４６およびそれを介して検出側マイコン４３に送られる。
【００４９】
これにより、検出側マイコン４３は、心拍電極６からの心拍信号があると判別する（Ｓ１：ＹＥＳ）。なお、図示しない水位センサが浴槽Ｂに設けられ、この水位センサが急激な水位の上昇を検出することによって入浴者が浴槽Ｂ内に入ったことを判別することにより、上記心拍信号の有無の判別が開始されてもよい。あるいは、図示しない撮像センサが浴室内に設けられ、その撮像センサが入浴者の浴槽Ｂ内への進入を検出することにより、上記心拍信号の有無の判別が開始されてもよい。
【００５０】
次いで、検出装置４の信号処理部４６によって心拍信号の心拍波形が検出される（Ｓ２）。具体的には、信号処理部４６では、心拍電極６によって検出された心拍信号を検出可能なレベルに増幅した後、Ｒ波検出回路４６ｅにおいて心拍信号の波形波（Ｐ波、Ｒ波、Ｔ波など）のうちで相対的に振幅が大きいＲ波を検出する。そして、ピーク波検出回路４６ｆにおいてそのピーク値を検出した後、それを検出側マイコン４３に伝達する。
【００５１】
検出側マイコン４３は、信号処理部４６からの検出信号を受信すると、アナログ−ディジタル変換した後、サンプリングし、所定のディジタル信号に変換した上で、信号処理部４６によって求めたＲ波の振幅値の時間的な変化を検出する。そして、Ｒ波の振幅値の時間的な変化に基づいて入浴者の体温が上昇したか否かを判別する（Ｓ３）。具体的には、一定の振幅電圧を維持していたＲ波（たとえば図７の０〜１８０秒の区間におけるＲ波）の振幅を１００％とした場合、それ以降に現れるＲ波の振幅変化が１３０％以上であってそのようなＲ波が複数回続くとき、入浴者の体温が上昇したと判別する。なお、入浴者の体温が上昇したことの判別は、所定時間内にＲ波の振幅増加電圧が所定電圧以上あったことによって行われてもよい。また、変曲点ＱからＲまでの振幅（もしくは変曲点ＳからＲまでの振幅）のうち、それらの最大値および最小値の比較結果に基づいて、入浴者の体温が上昇したことを判別してもよく、上記実施例に限るものではない。
【００５２】
検出側マイコン４３は、入浴者の体温が上昇したと判別した場合（Ｓ３：ＹＥＳ）、浴室リモコン２に対してその旨のコマンド信号を送る。
【００５３】
浴室リモコン２は、検出装置４から伝達された、入浴者の体温が上昇した旨のコマンド信号を受信すると、入浴者に対して体が十分に温まったので浴槽Ｂからの出浴を促す旨を表示部２３に文字または絵にして表示する（Ｓ４）。また、浴室リモコン２は、出浴を促す旨を音声にしてスピーカ２４ｇから出力してもよい。
【００５４】
入浴者が入浴中において体温が上昇するということは、体が十分に温まっているとともに入浴者の体内の状態が変化してきており、この状態が継続されると、入浴者が入浴中にのぼせたり体調をくずしたりするおそれがあるため、上記のように、入浴者に対して浴槽からの出浴を促す旨を報知する。そのため、入浴者は、十分に体が温まっていることを把握することができるとともに、この報知に応答して出浴することができる。したがって、入浴中において入浴者がのぼせたり体調をくずしたりすることを事前に防止することができる。
【００５５】
次いで、浴室リモコン２の浴室側マイコン２５は、報知停止スイッチ２４ｈが入浴者によって操作されたか否かの判別を行う（Ｓ５）。この報知停止スイッチ２４ｈは、入浴者が報知されたことを把握したことを浴室側マイコン２５において確認するために設けられたものである。すなわち、入浴者に対して出浴を促す旨の報知がされた後、この報知停止スイッチ２４ｈが操作されれば、入浴者がその旨を了解したと認識することができる。
【００５６】
報知停止スイッチ２４ｈが入浴者によって操作されたと判別すれば（Ｓ５：ＹＥＳ）、浴室側マイコン２５は、入浴者が報知されたことを把握したと認識し、処理を終了する。
【００５７】
一方、浴室側マイコン２５は、所定時間（たとえば３〜５分）経過しても報知停止スイッチ２４ｈが操作されないと判別した場合（Ｓ６：ＹＥＳ）、台所リモコン３に対して入浴者の浴槽Ｂ内での状態に異常が生じている可能性がある旨をコマンド信号として伝達する。
【００５８】
なお、入浴者が報知停止スイッチ２４ｈを操作したことだけでは、入浴者が実際に浴槽Ｂの外へ出たことを検出することができないので、報知停止スイッチ２４ｈの操作に代えて、図示しない撮像センサによって入浴者の動向（浴槽Ｂから出浴したこと）を直接的に検出するようにしてもよい。
【００５９】
台所リモコン３の台所側マイコン３５は、上記コマンド信号を受け取ると、その内容を表示部３３に表示する（Ｓ７）。あるいは、スピーカ３４ｅを通じて音声出力する。これにより、台所にいるユーザは、台所リモコン３における表示およびスピーカ３４ｅからの音声により、報知されたにもかかわらず、入浴者における反応がないことを把握することができ、たとえば浴室に行って入浴者の状態を確認するなどの処置をとることができる。
【００６０】
また、浴室側マイコン２５は、台所リモコン３にコマンド信号を送信後、さらに報知停止スイッチ２４ｈが操作されたか否かを判別し（Ｓ８）、報知停止スイッチ２４ｈが所定時間経過しても操作されない場合（Ｓ９：ＹＥＳ）、入浴者に対する救助処置を行う。すなわち、台所リモコン３にコマンド信号を送っても、台所リモコン３の近傍に他のユーザがいない場合には、他のユーザによる処置がされないときがあるので、強制的に入浴者の状態をそれ以上悪化させないようにするための処置を行う（Ｓ１０）。
【００６１】
すなわち、本体側マイコン１２は、浴室側マイコン２５から上記処置を行う旨のコマンド信号を受け取ると、浴室内に設けられている浴室乾燥機（図略）の送風装置８を駆動させ、入浴者に対して送風を行うようにする。これにより、浴室内の空気を移動させることができるので、たとえば入浴者の体温が上昇していたときにそれ以上の上昇を抑えることができる。
【００６２】
なお、送風装置８を駆動させることに代えて、あるいはこれと組み合わせて、浴槽Ｂ内の湯水の温度を低下させるべく、燃焼ユニット１０内の図示しない給水弁を開状態にして、浴槽Ｂ内の湯水に対して冷水を加えるようにしてもよい。あるいは、浴槽Ｂの排水栓を「開」にして、湯水を排水するようにしてもよい。
【００６３】
また、検出側マイコン４３によって入浴者の体温が上昇したことが判別されたとき、検出側マイコン４３は、居間に設けられた空調装置Ｅを動作させるようにしてもよい。たとえば、検出側マイコン４３は、居間の室温を２８℃に維持しつつ送風させる制御を空調装置Ｅに対して行う。これにより、入浴者は、浴室から出た後、居間に行けば、前もって空調装置Ｅが動作しているため、その体温を迅速に下げることができる。なお、検出側マイコン４３によって駆動される外部装置は、上記空調装置Ｅに限るものではない。
【００６４】
なお、この発明の範囲は上述した実施の形態に限定されるものではない。たとえば、給湯装置本体１に接続されるリモコンの数は、上記の実施形態に限定されるものではない。また、検出装置４は、給湯装置本体１内に設けられていてもよく、あるいは浴室リモコン２などと一体的に構成されていてもよい。これにより、通信経路が省略でき、伝送エラーの発生する可能性を極力少なくすることができる。
【００６５】
また、検出側マイコン４３の動作処理は、本体側マイコン１１、台所側マイコン３５、または浴室側マイコン２５のいずれにおいて行われてもよい。
【図面の簡単な説明】
【００６６】
【図１】本発明にかかる浴室システムを示す概略構成図である。
【図２】図１の浴室システムの電気的構成を示す図である。
【図３】浴室リモコンの正面図である。
【図４】台所リモコンの正面図である。
【図５】信号処理部の構成を示す図である。
【図６】心拍波形の一例を示す図である。
【図７】ある入浴者における入浴時間と心拍数およびＲ波との関係を示す図である。
【図８】浴室システムの動作を説明するためのフローチャートを示す図である。
【符号の説明】
【００６７】
１    給湯装置本体
２    浴室リモコン
３    台所リモコン
４    検出装置
６    心拍電極
８    送風装置
１２    本体側マイコン
２４ｈ  報知停止スイッチ
２５    浴室側マイコン
３５    台所側マイコン
４３    検出側マイコン
４６    信号処理部
【図１】
2005058299.tif 000003
【図２】
2005058299.tif 000004
【図３】
2005058299.tif 000005
【図４】
2005058299.tif 000006
【図５】
2005058299.tif 000007
【図６】
2005058299.tif 000008
【図７】
2005058299.tif 000009
【図８】
2005058299.tif 000010